(57)【特許請求の範囲】
【請求項１】
熱源装置と、
前記熱源装置から熱を得て作動する暖房用端末と、
前記熱源装置及び前記暖房用端末を接続する熱媒循環路と、
前記暖房用端末と並列になるよう前記熱媒循環路に設けられて浴湯の追い焚きを行なう追焚き用回路と
を備えた熱供給システムであって、
前記暖房用端末の停止中に追い焚き運転を行なう第１の運転モードと、
前記暖房用端末の停止中に追い焚き運転を行なうものであり、且つ前記熱源装置へ戻る熱媒温度を前記第１の運転モードにおける前記熱源装置へ戻る熱媒温度よりも低温にする第２の運転モードと
を備え、
前記第２の運転モードは、ユーザーが任意に選択可能となっている
ことを特徴とする熱供給システム。
【請求項２】
前記熱源装置の加熱量を制御する制御部を備え、
前記制御部は、前記第２の運転モードが選択されると、前記熱源装置の加熱量を前記第１の運転モードにおける前記熱源装置の加熱量よりも小さくなるよう制御する
ことを特徴とする請求項１記載の熱供給システム。
【請求項３】
熱源装置と、
前記熱源装置から熱を得て作動する暖房用端末と、
前記熱源装置及び前記暖房用端末を接続する熱媒循環路と、
前記暖房用端末と並列になるよう前記熱媒循環路に設けられて浴湯の追い焚きを行なう追焚き用回路と
を備えた熱供給システムであって、
前記暖房用端末の停止中に追い焚き運転を行なう第１の運転モードと、
前記暖房用端末の停止中に追い焚き運転を行なうものであり、且つ前記熱源装置へ戻る熱媒温度を前記第１の運転モードにおける前記熱源装置へ戻る熱媒温度よりも低温にする第２の運転モードと
を具備し、
前記熱媒循環路に設けられて前記熱媒を循環させる循環ポンプと、
前記循環ポンプの駆動を制御しこれにより熱媒の循環流量を変化させる制御部と
をさらに備え、
前記制御部は、前記第２の運転モードが選択されると、前記熱媒の循環流量を前記第１の運転モードにおける前記熱媒の循環流量よりも小さくなるよう制御する
ことを特徴とする熱供給システム。
【請求項４】
熱源装置と、
前記熱源装置から熱を得て作動する暖房用端末と、
前記熱源装置及び前記暖房用端末を接続する熱媒循環路と、
前記暖房用端末と並列になるよう前記熱媒循環路に設けられて浴湯の追い焚きを行なう追焚き用回路と
を備えた熱供給システムであって、
前記暖房用端末の停止中に追い焚き運転を行なう第１の運転モードと、
前記暖房用端末の停止中に追い焚き運転を行なうものであり、且つ前記熱源装置へ戻る熱媒温度を前記第１の運転モードにおける前記熱源装置へ戻る熱媒温度よりも低温にする第２の運転モードと
を具備し、
前記追焚き用回路は、
前記暖房用端末と並列になるよう前記熱媒循環路に接続された追焚き用熱交換器と、
前記追焚き用熱交換器及び浴槽を接続して前記追焚き用熱交換器において浴湯の熱交換を行ないこれにより浴湯の追い焚きを行なうための追焚き循環路と、
前記追焚き循環路に設けられて浴湯を流通させる浴湯ポンプと
を備え、
この熱供給システムは、前記浴湯ポンプの駆動を制御しこれにより浴湯の循環流量を変化させる制御部をさらに備え、
この制御部は、前記第２の運転モードが選択されると、前記浴湯の循環流量を前記第１の運転モードにおける前記浴湯の循環流量よりも大きくなるよう制御する
ことを特徴とする熱供給システム。
【請求項５】
前記熱媒循環路に設けられて前記熱媒を循環させる循環ポンプと、
前記循環ポンプの駆動を制御しこれにより熱媒の循環流量を変化させる制御部と
を備え、
前記制御部は、前記第２の運転モードが選択されると、前記熱媒の循環流量を前記第１の運転モードにおける前記熱媒の循環流量よりも小さくなるよう制御する
ことを特徴とする請求項４記載の熱供給システム。
【請求項６】
前記熱源装置は、
バーナと、
前記バーナの排ガスの顕熱を回収する顕熱熱交換器と、
前記バーナの排ガスの潜熱を回収する潜熱熱交換器と
を備えている
ことを特徴とする請求項１〜５のいずれか一項に記載の熱供給システム。
【発明の詳細な説明】
【技術分野】
【０００１】
本発明は、熱供給システムに関する。
【背景技術】
【０００２】
従来、熱源装置と、熱源装置からの熱を得て作動する暖房用端末とを備えた熱供給システムが知られている（例えば特許文献１参照）。
【０００３】
この特許文献１記載の熱供給システムは、暖房バーナと、暖房端末と、熱媒循環路とを備えている。熱媒循環路は、暖房バーナと暖房端末とを接続する。これにより暖房端末は、暖房バーナからの熱を得て作動する。
【０００４】
また、この熱供給システムは、ふろ熱交換器を備えている。このふろ熱交換器は、暖房端末とは並列になるよう熱媒循環路に接続されている。また、ふろ熱交換器は、ふろ循環路に接続されている。ふろ循環路は、浴槽に接続されている。ふろ循環路には、浴槽内に貯留された浴湯が循環する。浴湯は、ふろ熱交換器で熱媒と熱交換し、これにより追い焚きされるようになっている。
【先行技術文献】
【特許文献】
【０００５】
【特許文献１】特開２０１０−２２３４９０号公報
【発明の概要】
【発明が解決しようとする課題】
【０００６】
従来の熱供給システムで追い焚き運転を行なった場合、熱媒は、ふろ熱交換器において熱交換が十分に行われないまま、暖房バーナへ戻ってしまう。すなわち従来の熱供給システムは、追い焚き運転を行なうと、熱媒が温度の高い状態で暖房バーナに戻るため、熱効率が悪いという問題を有していた。
【０００７】
本発明は、上記事情に鑑みてなされたものであり、その目的とするところは、浴湯の追い焚き運転を行なうに当たり、熱効率を向上できる熱供給システムを提供することにある。
【課題を解決するための手段】
【０００８】
本発明は、熱源装置と、前記熱源装置から熱を得て作動する暖房用端末と、前記熱源装置及び前記暖房用端末を接続する熱媒循環路と、前記暖房用端末と並列になるよう前記熱媒循環路に設けられて浴湯の追い焚きを行なう追焚き用回路とを備えた熱供給システムであって、前記暖房用端末の停止中に追い焚き運転を行なう第１の運転モードと、前記暖房用端末の停止中に追い焚き運転を行なうものであり、且つ前記熱源装置へ戻る熱媒温度を前記第１の運転モードにおける前記熱源装置へ戻る熱媒温度よりも低温にする第２の運転モードとを備え、前記第２の運転モードは、ユーザーが任意に選択可能となっていることを特徴とする。
【０００９】
また本発明の熱供給システムにおいて、前記熱源装置は、バーナと、前記バーナの排ガスの顕熱を回収する顕熱熱交換器と、前記バーナの排ガスの潜熱を回収する潜熱熱交換器とを備えていることが好ましい。
【００１０】
また本発明の熱供給システムにおいて、前記熱源装置の加熱量を制御する制御部を備え、前記制御部は、前記第２の運転モードが選択されると、前記熱源装置の加熱量を前記第１の運転モードにおける前記熱源装置の加熱量よりも小さくなるよう制御することが好ましい。
【００１１】
また本発明の熱供給システムにおいて、前記熱媒循環路に設けられて前記熱媒を循環させる循環ポンプと、前記循環ポンプの駆動を制御しこれにより熱媒の循環流量を変化させる制御部とを備え、前記制御部は、前記第２の運転モードが選択されると、前記熱媒の循環流量を前記第１の運転モードにおける前記熱媒の循環流量よりも小さくなるよう制御することが好ましい。
【００１２】
また本発明の熱供給システムにおいて、前記追焚き用回路は、前記暖房用端末と並列になるよう前記熱媒循環路に接続された追焚き用熱交換器と、前記追焚き用熱交換器及び浴槽を接続して前記追焚き用熱交換器において浴湯の熱交換を行ないこれにより浴湯の追い焚きを行なうための追焚き循環路と、前記追焚き循環路に設けられて浴湯を流通させる浴湯ポンプとを備え、この熱供給システムは、前記浴湯ポンプの駆動を制御しこれにより浴湯の循環流量を変化させる制御部を備え、この制御部は、前記第２の運転モードが選択されると、前記浴湯の循環流量を前記第１の運転モードにおける前記浴湯の循環流量よりも大きくなるよう制御することが好ましい。
【発明の効果】
【００１３】
本発明の熱供給システムによれば、浴湯の追い焚き運転を行なうに当たり、熱効率を向上させることができる。
【図面の簡単な説明】
【００１４】
【図１】本実施形態の熱供給システムの全体構成図である。
【発明を実施するための形態】
【００１５】
以下、本発明の実施形態について添付図面に基づいて説明する。
【００１６】
実施形態１の熱供給システムは、図１に示されるように、熱源装置１と、暖房用端末２と、熱媒循環路３と、暖房タンク４と、追焚き用回路５と、制御部とを備えている。追焚き用回路５は、追焚き用熱交換器５１と、追焚き用熱媒路５２と、追焚き循環路６とを備えている。また熱供給システムは、給湯用流路８を備えている。また、熱供給システムは、熱源装置１として、暖房回路用の熱源部１１と、給湯用流路８用の熱源部１５とを備えている。つまり、本実施形態の熱供給システムは、いわゆる、２缶３水路方式の熱供給システムである。
【００１７】
熱源装置１は、第１の熱源部１１と第２の熱源部１５とを備えている。第１の熱源部１１は、暖房回路内を流通する熱媒を加熱する。第２の熱源部１５は、給湯用流路８を流通する水を加熱する。第１の熱源部１１及び第２の熱源部１５は、バーナ１２，１６と、顕熱熱交換器１３，１７と、潜熱熱交換器１４，１８とをそれぞれ備えている。
【００１８】
バーナ１２，１６には、ガス供給路１２１が接続されている。ガス供給路１２１は、バーナ１２，１６に燃料ガスを供給する。燃料ガスは、例えば、都市ガスやプロパンガス等が挙げられる。
【００１９】
顕熱熱交換器１３，１７は、バーナ１２，１６の排ガスの顕熱を回収する。潜熱熱交換器１４，１８は、バーナの排ガスの潜熱を回収する。潜熱熱交換器１４，１８は、顕熱熱交換器１３，１７で熱交換した後の排ガスと熱交換するようになっている。なお、潜熱熱交換器１４，１８を経て潜熱が回収された排ガスは、凝縮して液体に変化し、ドレンを介して排出される。また、潜熱熱交換器１４，１８を経ても潜熱が回収されなかった排ガスは、排気口（図示せず）を介して排気される。
【００２０】
第１の熱源部１１において、顕熱熱交換器１３と潜熱熱交換器１４とは、第１の熱交中間流路３１を介して接続されている。第１の熱交中間流路３１は、熱媒循環路３の一部である。第１の熱交中間流路３１は、潜熱熱交換器１４の熱媒出口１４２と顕熱熱交換器１３の熱媒入口１３１との間に接続される。第１の熱交中間流路３１は、タンク復路３２と、タンク往路３３とを備えている。タンク復路３２は、潜熱熱交換器１４の熱媒出口１４２と暖房タンク４の流入口４１とを接続する。タンク往路３３は、暖房タンク４の流出口４２と顕熱熱交換器１３の熱媒入口１３１とを接続する。
【００２１】
第２の熱源部１５において、顕熱熱交換器１７と潜熱熱交換器１８とは、第２の熱交中間流路８１を介して接続されている。
【００２２】
なお熱源装置１は、バーナ１２，１６に限らず、排熱を利用して熱媒又は湯水を加熱するものであってもよい。熱源装置１は、例えば、原動機駆動式の発電装置であってもよい。原動機駆動式の発電装置は、電気及び排熱を発生させる。熱源装置１として原動機駆動式の発電装置を用いることで、いわゆる、コージェネレーションシステムを構成することができる。
【００２３】
暖房用端末２は、熱源装置１から熱を得て作動する。具体的に暖房用端末２は、熱媒を介して熱源装置１から熱を得る。暖房用端末２は、単数又は複数設けられている。なお、暖房用端末２の熱媒の流入口２１には、弁（例えば、熱動弁）が設けられている。
【００２４】
熱媒循環路３は、熱源装置１と暖房用端末２とを接続する。熱媒循環路３内には、熱媒が流通する。熱媒循環路３は、循環往路３４と、循環復路３５と、上述の第１の熱交中間流路３１とを備えている。循環往路３４は、顕熱熱交換器１３の熱媒出口１３２と、暖房用端末２における熱媒の入口２１とを接続する。循環復路３５は、暖房用端末２における熱媒の出口２２と、潜熱熱交換器１４の熱媒入口１４１とを接続する。熱媒循環路３の途中には、循環ポンプ３６が接続されている。これにより熱媒は、熱媒循環路３内を流通し、熱源装置１と暖房用端末２との間で循環する。
【００２５】
熱媒循環路３には、温度検知手段３７が設けられている。この温度検知手段３７は、熱媒の温度を検知する。温度検知手段３７は、第１のサーミスタ３７１と第２のサーミスタ３７２とを備えている。第１のサーミスタ３７１は、熱源装置１の第１の熱源部１１から出た直後の熱媒の温度を検知する。第１のサーミスタ３７１は、第１の熱源部１１における顕熱熱交換器１３の熱媒出口１３２のすぐ下流側に設けられている。第２のサーミスタ３７２は、熱源装置１の第２の熱源部１５から出た直後の熱媒の温度を検知する。第２のサーミスタ３７２は、第２の熱源部１５における顕熱熱交換器１７の出口１７１のすぐ下流側に設けられている。この温度検知手段３７は、制御部に接続されている。
【００２６】
暖房タンク４は、加熱に伴う熱媒の膨張・収縮による体積変化を吸収するために用いられる。暖房タンク４は、流入口４１と、流出口４２とを備えている。暖房タンク４の内部には熱媒が貯留される。流入口４１は、潜熱熱交換器１４の熱媒出口１４２に、タンク復路３２を介して接続されている。流出口４２は、顕熱熱交換器１３の熱媒入口１３１に、タンク往路３３を介して接続されている。言い換えると暖房タンク４は、熱媒循環路３の途中に接続されている。なお、暖房タンク４としては、密閉型の暖房タンクでもよいし、開放型の暖房タンクでもよい。
【００２７】
暖房タンク４の上流側及び下流側には、バイパス路７０が接続されている。バイパス路７０は、タンク復路３２とタンク往路３３とを接続する。言い換えるとバイパス路７０は、暖房タンク４の前後を繋いでいる。
【００２８】
熱供給システムは切替手段７１を備えている。切替手段７１は、第１の流路と第２の流路との間で、熱媒の流路を切り替える。第１の流路は、熱媒が、タンク復路３２・バイパス路７０・タンク往路３３の順に流通する流路である。言い換えると、第１の流路は、熱媒をバイパス路７０を介して流通させる。第２の流路は、熱媒が、タンク復路３２・暖房タンク４・タンク往路３３の順に流通する流路である。言い換えると、第２の流路は、熱媒を前記暖房タンク４に向かって流通させる。
【００２９】
切替手段７１は、三方弁により構成される。なお、切替手段７１としては、三方弁に限られず、例えば、暖房タンク４の流入口４１に第１の電磁弁を取り付けると共に、バイパス路７０に第２の電磁弁を取り付け、第１の電磁弁と第２の電磁弁とをそれぞれ制御するものであってもよい。
【００３０】
熱媒循環路３には、追焚き用回路５が接続されている。追焚き用回路５の上流側の端部は、循環往路３４の途中に接続される。追焚き用回路５の下流側の端部は、循環復路３５の途中に接続される。追焚き用回路５は、追焚き用熱交換器５１と、追焚き用熱媒路５２と、追焚き循環路６とを備えている。追焚き用熱交換器５１は、追焚き用熱媒路５２の途中に設けられている。追焚き用熱交換器５１は、暖房用端末２と並列になるように、熱媒循環路３に接続されている。追焚き用熱交換器５１は、浴湯と熱媒とで熱交換を行なわせる。追焚き用熱媒路５２の途中には、弁５３（例えば、熱動弁）が設けられている。この弁５３が開放すると、追焚き用熱媒路５２に熱媒が流通する。またこの弁５３が閉塞すると、追焚き用熱媒路５２に熱媒が流通しない。
【００３１】
追焚き循環路６は、浴槽９と追焚き用熱交換器５１とを接続する。追焚き循環路６は、浴湯の追い焚きを行なうために設けられている。追焚き循環路６は、ふろ往路６１と、ふろ復路６２とを備えている。浴槽９は、吸入口９１と吐出口９２とを備えている。ふろ往路６１は、浴槽９の吸入口９１と追焚き用熱交換器５１とを接続する。ふろ復路６２は、追焚き用熱交換器５１と浴槽９の吐出口９２とを接続する。また追焚き循環路６には、浴湯ポンプ６３が接続されている。これにより、浴湯は追焚き循環路６内を流通する。
【００３２】
給湯用流路８は、給水路８２と、給湯路８３と、上述の第２の熱交中間流路８１とを備えている。給水路８２は、第２の熱源部１５における潜熱熱交換器１４の入口１８１に接続される。給湯路８３は、第２の熱源部１５における顕熱熱交換器１３の出口１７２と給湯栓（図示せず）とを接続する。
【００３３】
また給湯用流路８には、熱源装置１をバイパスするようにしてバイパス流路８４が設けられている。バイパス流路８４は、熱源装置１の前後において給水路８２と給湯路８３とを接続する。またバイパス流路８４には、弁８５（例えば、電磁弁）が接続されている。
【００３４】
制御部は、熱源装置１を制御する。制御部は、熱源装置１の作動／停止を制御する。また制御部は、温度検知手段３７により検知した信号に基づいて、バーナ１２の発熱量を制御する。また制御部は、熱媒循環路３の循環ポンプ３６の駆動を制御する。制御部は、追焚き循環路６の浴湯ポンプ６３の駆動を制御する。制御部は、循環ポンプ３６及び浴湯ポンプ６３のモータの回転数を制御する。これにより熱媒循環路３における熱媒の循環流量や、追焚き循環路６の浴湯の循環流量を変化させることができる。なお、循環ポンプ３６及び浴湯６３のモータの回転数制御は、例えば、インバーター制御により行なう。
【００３５】
また制御部は、切替手段７１の動作を制御する。制御部は、浴湯の追い焚き運転が行われると、切替手段７１を第１の流路に切り替える。また制御部は、暖房用端末２の流入口２１に設けられた弁や追焚き用回路５における弁５３等の各種駆動弁の開閉動作を制御する。なお、制御部は、マイクロプロセッサを主構成要素とするコンピュータにより構成されている。
【００３６】
本実施形態の熱供給システムは、浴湯の追い焚き運転を行なうに当たり、ユーザーが複数のモードのうちのいずれかのモードを選択できるよう構成されている。具体的に、本実施形態の熱供給システムは、第１の運転モードと、第２の運転モードとを備えている。
【００３７】
第１の運転モードは、暖房用端末２の停止中に追い焚き運転を行なうモードである。第１の運転モードは、暖房用端末２が停止している状態で、ユーザーが追い焚き運転を選択することで実行される。第１の運転モードが選択されると、制御部は、熱源装置１のバーナ１２を制御して、顕熱熱交換器１３の熱媒出口１３２から出る熱媒の温度が所定の温度（例えば、８０℃）となるよう制御する。
【００３８】
なお、第１の運転モードは、暖房用端末２を運転しながら追い焚き運転をしている状態から、暖房用端末２を停止させることで、実行されるものであってもよい。
【００３９】
第２の運転モードは、暖房用端末２の停止中に追い焚き運転を行なうためのモードであり、第１の運転モードよりも熱効率を向上させたモードである。第２の運転モードは、追い焚き能力がやや低下するが、システム内の熱効率を向上させる。第２の運転モードは、ユーザーが任意に選択可能となっている。第２の運転モードが選択されると、制御部は、熱源装置１のバーナ１２を制御し、顕熱熱交換器１３の熱媒出口１３２から出る熱媒の温度が、第１の運転モード時の温度よりも低温（例えば６０℃）となるよう制御する。言い換えると、制御部は、第２の運転モードが選択されると、熱源装置１の加熱量を第１の運転モードにおける熱源装置１の加熱量よりも小さくなるよう制御する。
【００４０】
つまり、第２の運転モードは、暖房用端末２の停止中に追い焚き運転を行なうものであり、且つ熱源装置１へ戻る熱媒温度を第１の運転モードにおける熱源装置１へ戻る熱媒温度よりも低温にする運転モードである。
【００４１】
このような構成の熱供給システムは、例えば、次のようにして作動する。
【００４２】
第１の運転モードが選択されると、制御部は、第１の熱源部１１を作動させる。このとき制御部は、熱源装置１を制御して、第１のサーミスタ３７１により検知する温度が約８０℃となるように加熱量を調整する。また制御部は、熱媒循環路３の循環ポンプ３６と、追焚き循環路６の浴湯ポンプ６３とを作動させる。また制御部は、追焚き用回路５の弁５３を開放させる。また制御部は、切替手段７１を第１の流路に切り替えるよう制御する。なお、暖房用端末２は停止中であるため、暖房用端末２の入口２１の弁は閉塞している。
【００４３】
すると、熱源装置１により加熱された熱媒は、熱媒循環路３を循環する。潜熱熱交換器１４を通過した熱媒は、タンク復路３２を流通し、バイパス路７０を介してタンク往路３３に流入する。熱媒は、顕熱熱交換器１３を通過し、循環往路３４を経て、追焚き用回路５に流入する。熱媒は、追焚き用熱交換器５１を通過して、循環復路３５に流入する。この後、熱媒は、再び潜熱熱交換器１４に流入する。
【００４４】
このとき、浴槽９内の浴湯は、吸入口９１を介してふろ往路６１に取り込まれる。浴湯は、ふろ往路６１を介して追焚き用熱交換器５１に流入する。追焚き用熱交換器５１に流入した浴湯は、熱媒との間で熱交換することで熱媒から熱を受け取り、これにより温度が上昇する。この後、浴湯は、ふろ復路６２を経て、浴槽９内へ戻される。このようにして浴湯が循環されることで、浴槽９内の浴湯が温度上昇する。
【００４５】
第２の運転モードが選択されると、制御部は、第１の熱源部１１を作動させる。このとき制御部は、熱源装置１を制御して、第１のサーミスタ３７１により検知する温度が約６０℃となるように加熱量を調整する。また制御部は、熱媒循環路３の循環ポンプ３６と、追焚き循環路６の浴湯ポンプ６３とを作動させる。また制御部は、追焚き用回路５の弁５３を開放させる。また制御部は、切替手段７１を第１の流路に切り替えるよう制御する。
【００４６】
すると、熱媒は、第１の運転モードと同じ経路で循環する。このとき、第２の運転モードにおいて、潜熱熱交換器１４に流入した熱媒の温度は、第１の運転モードの場合の温度よりも低温となる。これにより、熱媒は、潜熱熱交換器１４において、第１の運転モードの場合よりも、効果的に排ガスの潜熱を回収することができる。この結果、システム内における熱効率を向上させることができる。
【００４７】
しかも本実施形態の熱供給システムの熱媒は、第１の運転モード及び第２の運転モードによる運転の際、暖房タンク４を介さずに、熱媒循環路３を循環する。このため、熱源装置１は、暖房タンク４内に貯留された熱媒については加熱せず、熱媒循環路３内の熱媒を加熱するだけでよい。つまり、熱源装置１による加熱量を削減することができて、一層、熱効率を向上させることができる。
【００４８】
なお、ユーザーが、浴湯の追い焚き運転を停止させ、暖房用端末２を作動させた場合には、制御部は、切替手段７１を第２の流路に切り替え、追焚き用回路５の弁５３を閉塞し、暖房用端末２の入口２１の弁を開放するよう制御する。またユーザーが、暖房用端末２の作動中に浴湯の追い焚き運転を選択した場合（第３の運転モード）には、制御部は、切替手段７１を第２の流路に切り替え、追焚き用回路５の弁５３を開放し、暖房用端末２の入口２１の弁を開放するよう制御する。
【００４９】
以上説明したように、本実施形態の熱供給システムは、第１の運転モードと、第２の運転モードとを備えている。第１の運転モードは、暖房用端末２の停止中に追い焚き運転を行なうモードである。第２の運転モードは、暖房用端末２の停止中に追い焚き運転を行なうものであり、且つ熱源装置１へ戻る熱媒温度が、第１の運転モードにおける熱源装置１へ戻る熱媒温度よりも低温である。
【００５０】
このように本実施形態の熱供給システムは、熱源装置１へ戻る熱媒の温度が、第１の運転モードよりも第２の運転モードの方が低温であるため、第２の運転モードで運転することで、熱源装置１が与える加熱量を減らすことができる。
【００５１】
また、本実施形態の熱供給システムの熱源装置１は、潜熱熱交換器１４と、顕熱熱交換器１３と、バーナ１２とを備えている。潜熱熱交換器１４は、バーナ１２の潜熱を回収する。顕熱熱交換器１３は、バーナ１２の顕熱を回収する。熱媒は、潜熱熱交換器１４を流通した後に、顕熱熱交換器１３を流通する。
【００５２】
このため本実施形態の熱供給システムによれば、第２の運転モードで運転すると、潜熱熱交換器１４において、より多くの潜熱を回収することができる。したがって、顕熱熱交換器１３において、熱媒を所定の温度まで上昇させるために必要な熱量を減らすことができ、したがってバーナ１２の加熱量を減らすことができる。この結果、本実施形態の熱供給システムによれば、熱効率をさらに向上させることができる。
【００５３】
また、本実施形態の熱供給システムの制御部は、第２の運転モードが選択されると、熱源装置１の加熱量を第１の運転モードにおける熱源装置１の加熱量よりも小さくなるよう制御する。
【００５４】
これにより、簡単な制御で、熱源装置１への戻り温度を低温にすることができ、熱供給システムにおける熱効率を向上させることができる。
【００５５】
なお、本実施形態の熱供給システムは、暖房用端末２を運転しながら、追い焚き運転を行なう第３の運転モードや、追い焚き運転を停止しながら暖房用端末２を運転する第４の運転モード等、その他の運転モードも有している。本実施形態の第２の運転モードは、第３の運転モードの熱源装置１へ戻る熱媒温度よりも低温にするよう設定されていてもよい。
【００５６】
次に、実施形態２について説明する。実施形態２は、実施形態１と大部分において同じであるため、同じ部分についての説明は省略する。
【００５７】
実施形態２の熱供給システムも、実施形態１と同様に、第１の運転モードと、第２の運転モードとを備えている。第１の運転モードは、暖房用端末２の停止中に追い焚き運転を行なうモードである。第２の運転モードは、暖房用端末２の停止中に追い焚き運転を行なうものであり、且つ熱源装置１へ戻る熱媒温度が、第１の運転モードにおける熱源装置１へ戻る熱媒温度よりも低温である。
【００５８】
本実施形態の熱供給システムは、第２の運転モードが選択されると、熱媒循環路３における熱媒の循環流量を、第１の運転モードの循環流量よりも小さくするものである。また本実施形態の熱供給システムは、第２の運転モードが選択されると、追焚き循環路６における浴湯の循環流量を、第１の運転モードの循環流量よりも大きくさせる。
【００５９】
制御部は、循環ポンプ３６の駆動と、浴湯ポンプ６３の駆動とを制御する。制御部は、循環ポンプ３６及び浴湯ポンプ６３のモータの回転数を制御する。これにより制御部は、熱媒循環路３における熱媒の循環流量や、追焚き循環路６の浴湯の循環流量を変化させることができる。
【００６０】
次に、第１の運転モードが選択された場合の動作につき、説明する。
【００６１】
ユーザーが追い焚き運転を実行するに当たり、第１の運転モードを実行すると、制御部は、第１の熱源部１１を作動させ、熱媒を約８０℃にまで加熱する。また制御部は、追焚き用回路５の弁５３を開放させ、暖房用端末２の入口２１の弁を閉塞させる。また制御部は、切替手段７１を第１の流路に切り替えるよう制御する。また制御部は、熱媒循環路３の循環ポンプ３６と、追焚き循環路６の浴湯ポンプ６３とを作動させる。
【００６２】
このとき制御部は、循環ポンプ３６のモータの回転数を、所定の回転数となるよう制御する。これにより、制御部は、熱媒循環路３において所定の循環流量で熱媒を循環させることができる。また、制御部は、浴湯ポンプ６３のモータの回転数を、所定の回転数となるよう制御する。これにより、制御部は、追焚き循環路６において所定の循環流量で浴湯を循環させることができる。
【００６３】
次に、第２の運転モードが選択された場合の動作につき、説明する。
【００６４】
ユーザーが追い焚き運転を実行するに当たり、第２の運転モードを実行すると、制御部は、第１の熱源部１１を作動させ、熱媒を約８０℃にまで加熱する。また制御部は、追焚き用回路５の弁５３を開放させ、暖房用端末２の入口２１の弁を閉塞させる。また制御部は、切替手段７１を第１の流路に切り替えるよう制御する。また制御部は、熱媒循環路３の循環ポンプ３６と、追焚き循環路６の浴湯ポンプ６３とを作動させる。
【００６５】
このとき制御部は、循環ポンプ３６の回転数を、第１の運転モード時の循環ポンプ３６のモータの回転数よりも小さくなるよう制御する。言い換えると、制御部は、第２の運転モードが選択されると、熱媒の循環流量を第１の運転モードにおける熱媒の循環流量よりも小さくなるよう制御する。
【００６６】
また、制御部は、浴湯ポンプ６３の回転数を第１の運転モード時の浴湯ポンプ６３のモータの回転数よりも大きくなるよう制御する。言い換えると、制御部は、第２の運転モードが選択されると、浴湯の循環流量を第１の運転モードにおける浴湯の循環流量よりも大きくなるよう制御する。
【００６７】
すると、熱媒は、熱媒循環路３をゆっくりとした流速で循環し、追焚き用熱交換器５１をゆっくりと流通する。また、浴湯は、追焚き循環路６１を速い流速で循環し、追焚き用熱交換器５１を速く流通する。これにより、第２の運転モードが選択されると、追焚き用熱交換器５１における浴湯と熱媒との熱交換を促進させることができる。
【００６８】
この後、熱媒は潜熱熱交換器１４に戻る。この時の熱媒の温度は、追焚き用熱交換器５１における熱交換が第１の運転モード時よりも効率よく行われているため、第１の運転モードにおける熱源装置１へ戻る熱媒温度よりも低温である。
【００６９】
以上説明したように、本実施形態の熱供給システムは、循環ポンプ３６と、制御部とを備えている。循環ポンプ３６は、熱媒循環路３に設けられている。循環ポンプ３６は熱媒を循環させる。制御部は、循環ポンプ３６の駆動を制御し、これにより熱媒の循環流量を変化させる。制御部は、第２の運転モードが選択されると、熱媒の循環流量を第１の運転モードにおける熱媒の循環流量よりも小さくなるよう制御する。
【００７０】
このため本実施形態の熱供給システムにおいて、第２の運転モードを実行することで、追焚き用熱交換器５における熱交換を促進することができる。これにより、熱媒の熱源装置１への戻り温度を、第１の運転モード時の温度よりも低温にできる。これにより追い焚き運転を行なうに当たり、潜熱熱交換器１４において、多くの潜熱を回収することができる。従って熱供給システムにおける熱効率を向上させることができる。
【００７１】
また、本実施形態の熱供給システムは、追焚き用回路５を備えている。追焚き用回路５は、追焚き用熱交換器５１と、追焚き循環路６と、浴湯ポンプ６３とを備えている。追焚き用熱交換器５１は、暖房用端末２と並列になるよう熱媒循環路３に接続されている。追焚き循環路６は、追焚き用熱交換器５１及び浴槽９を接続する。追焚き循環路６は、追焚き用熱交換器５１において浴湯の熱交換を行ない、これにより浴湯の追い焚きを行なう。浴湯ポンプ６３は、追焚き循環路６に設けられて浴湯を流通させる。熱供給システムは制御部を備えている。制御部は、浴湯ポンプ６３の駆動を制御し、これにより浴湯の循環流量を変化させる。制御部は、前記第２の運転モードが選択されると、前記浴湯の循環流量を前記第１の運転モードにおける前記浴湯の循環流量よりも大きくなるよう制御する。
【００７２】
これにより、本実施形態の熱供給システムにおいて、第２のモードを実行することで、追焚き用熱交換器５１における熱交換をより一層促進させることができる。これにより、熱媒の熱源装置１への戻り温度を、第１の運転モード時の温度よりも低温にできる。これにより追い焚き運転を行なうに当たり、無駄となる熱量を減らすことができる。また、潜熱熱交換器１４において、より多くの潜熱を回収することができる。従って熱供給システムにおける熱効率を向上させることができる。
【００７３】
なお、実施形態２の熱供給システムにおいて、第２のモードは、追焚き用回路５における浴湯ポンプ６３の駆動を制御して浴湯の循環流量を大きくして、循環ポンプ３６のモータの回転数を変化させないものであってもよい。また実施形態２の熱供給システムにおいて、第２のモードは、循環ポンプ３６の駆動を制御して熱媒の循環流量を小さくして、浴湯ポンプ６３のモータの回転数を変化させないものであってもよい。
【００７４】
なお、実施形態１，２の熱供給システムは、暖房タンク４をバイパスするバイパス路７０と、切替手段７１とを有していたが、本発明の熱供給システムにおいて、バイパス路７０と切替手段７１とはなくてもよい。
【符号の説明】
【００７５】
１      熱源装置
１１    第１の熱源部
１２    バーナ
１３    顕熱熱交換器
１４    潜熱熱交換器
１５    第２の熱源部
１６    バーナ
１７    顕熱熱交換器
１８    潜熱熱交換器
２      暖房用端末
３      熱媒循環路
３２    タンク復路
３３    タンク往路
３４    循環往路
３５    循環復路
３６    循環ポンプ
４      暖房タンク
５      追焚き用回路
５１    追焚き用熱交換器
５２    追焚き用熱媒路
６      追焚き循環路
６１    ふろ往路
６２    ふろ復路
６３    浴湯ポンプ
７０    バイパス路
７１    切替手段
８      給湯用流路
９      浴槽
【図１】
0005973209.tif 000002